(57)【要約】      （修正有）【課題】容易に床ずれ防止具を患者に装着させることができ、必要とする箇所に適切に装着でき、また装着位置の修正が容易に行え、また床ずれの防止が確実に行える床ずれ防止具を提供する。【解決手段】発泡ポリスチレンの小球状ビーズの詰物と、この詰物を包む縦横方向に伸縮性のある中袋と、縦横方向に、または縦横何れかの方向に伸縮性のある外袋とにより構成する。【選択図】図１
0003114048.tif 000002
【実用新案登録請求の範囲】
【請求項１】
発泡ポリスチレンの直径０．５ｍｍ程度の小球状ビーズの詰物と、この詰物を包む縦横方向に伸縮性のある中袋と、縦横方向に伸縮性のある外袋とより成ることを特徴とする床ずれ予防緩和具。
【請求項２】
発泡ポリスチレンの直径０．５ｍｍ程度の小球状ビーズの詰物と、この詰物を包む縦横方向に伸縮性のある中袋と、縦横何れかの方向に伸縮性のある外袋とより成ることを特徴とする床ずれ予防緩和具。
【考案の詳細な説明】
【技術分野】
【０００１】
本考案は床ずれ予防緩和具、特に、患者の身体の種々の部分に沿わせて使用する床ずれ予防緩和具に関するものである。
【背景技術】
【０００２】
長く病床に寝ていると、床に当たっている身体の部分が体重の圧迫のため擦れ、赤く膨れ爛れて痛む床ずれ（褥瘡）ができる。このような床ずれを防止するために、床として使用するベッド、布団、マットレスなどの弾性状態を工夫することが種々提案されている。然しながら、このようなベッドなどでは長く病床にある人（以下、患者と呼ぶ）の床ずれを防止することが非常に困難である。この対策として、患者の身体の床に接触する部分に床ずれ防止具を挿入し、接触を緩和することが従来から行なわれており、このような床ずれ防止具として、種々の形状のものが提案されている。
【考案の開示】
【考案が解決しようとする課題】
【０００３】
上述した従来技術で提案されている床ずれ防止具においては、何れもその形状と素材が適切でなく所期の効果を奏し得ない欠点があった。
【０００４】
本考案はこのような欠点を除くようにしたものである。
【課題を解決するための手段】
【０００５】
本考案の床ずれ予防緩和具は、発泡ポリスチレンの直径０．５ｍｍ程度の小球状ビーズの詰物と、この詰物を包む縦横方向に伸縮性のある中袋と、縦横方向に伸縮性のある外袋とより成ることを特徴とする。
【０００６】
また、本考案の床ずれ予防緩和具は、発泡ポリスチレンの直径０．５ｍｍ程度の小球状ビーズの詰物と、この詰物を包む縦横方向に伸縮性のある中袋と、縦横何れかの方向に伸縮性のある外袋とより成ることを特徴とする。
【考案の効果】
【０００７】
本考案の床ずれ予防緩和具によれば、身体が不自由で長い間寝たきりのため床ずれが起き易い状態の人の場合でも、介護者が容易に装着することができる。また、装着時に床ずれ防止具がうまく装着できない場合にも、押込むことにより容易にその挿入状態の調整を行うことができ、確実に床ずれの防止をすることができる。
【考案を実施するための最良の形態】
【０００８】
本考案の床ずれ予防緩和具は、受生会多摩成人病研究所における研究によりなし得たものであり、臨床治験結果によりその効果が確かめられている。
【実施例１】
【０００９】
本考案の床ずれ予防緩和具は、発泡ポリスチレンの直径０．５ｍｍ程度の小球状ビーズの詰物と、この詰物を包む縦横方向に伸縮性のある中袋と、縦横方向に、または縦横何れかの方向に伸縮性のある外袋とにより構成する。
【００１０】
以下本考案の床ずれ予防緩和具の具体的形状と使用例を説明する。
【００１１】
（１）アーモンドクッションタイプ（伸縮性タイプ）（図１及び図２に示す）。
【００１２】
使用部位は図３，図４に示すように股間、膝と膝の間、及び側臥位時の膝の下であり、サイズは約１０×２５×３５ｃｍで、中袋は縦横伸縮生地、カバーは縦横伸縮生地の綿パイルとする。
【００１３】
（２）シリンダークッションタイプ（伸縮性タイプ）（図５及び図６に示す）。
【００１４】
使用部位は図７，図８に示すように股間、膝と膝の間、及び腕と腕の間であり、サイズは約２０φ×４５ｃｍで、中袋は縦横伸縮生地、カバーは縦横伸縮生地の綿パイルとする。
【００１５】
（３）トライアングルクッションタイプ（半固定タイプ）（図９及び図１０に示す）。
【００１６】
使用部位は図１１，図１２に示すように半側臥位時の肩、腰背用、及び下腿、大腿用であり、サイズは約２０×２０×３５ｃｍで、中袋は縦横伸縮生地、カバーは伸びにくい綿パイル生地とする。
【００１７】
（４）スクエアクッションタイプ（伸縮性タイプ）（図１３及び図１４に戻す）。
【００１８】
使用部位は図１５，図１６に示すように踝、踵の下、及び肘の下であり、サイズは約３０×３２ｃｍで中袋は縦横伸縮生地、カバーは縦横伸縮生地の綿パイルとする。
【００１９】
（５）アームクッションタイプ（伸縮性タイプ）（図１７及び図１８に示す）。
【００２０】
使用部位は図１９，図２０に示すように肘及び首の下であり、サイズは約１５×１２×３５ｃｍで中袋は縦横伸縮生地、カバーは縦横伸縮生地の綿パイルとする。
【００２１】
（６）多目的ロールクッションタイプ（半固定タイプ）（図２１及び図２２に示す）。
【００２２】
使用部位は図２３，図２４に示すように３０度起座位時の腰、下腿、大腿の下及び腓腹部の下であり、サイズは約６５×６０ｃｍで中袋は縦横伸縮生地、カバーは伸びにくい綿パイル生地とする。
【００２３】
（７）ピロータイプ（半固定タイプ）（図２５及び図２６に示す）。
【００２４】
使用部位は図２７，図２８に示すように頭の下であり、サイズは約４３×６３ｃｍで中袋は縦横伸縮生地、カバーは伸びにくい綿パイル生地とする。
【００２５】
（８）エアマット専用敷パット（図２９及び図３０に示す）。
【００２６】
使用部位は体の下であり、サイズは約３×８８×１８５ｃｍで縦横伸縮生地を用い詰物は発泡ポリスチレンの直径０．５ｍｍ程度の小球状ビーズとする。
【００２７】
縫製方法は、例えば特殊平３本針上飾り仕上げとする。
【００２８】
本考案の床ずれ予防緩和具の中身は例えば直径０．５ｍｍの球状発泡ポリスチレンとするのが好ましい。
【図面の簡単な説明】
【００２９】
【図１】本考案のアーモンドクッションタイプの床ずれ予防緩和具の斜視図である。
【図２】本考案のアーモンドクッションタイプの床ずれ予防緩和具の斜視図である。
【図３】図１及び図２に示す床ずれ予防緩和具の使用状態を示す斜視図である。
【図４】図１及び図２に示す床ずれ予防緩和具の使用状態を示す斜視図である。
【図５】本考案のシリンダークッションタイプの床ずれ予防緩和具の斜視図である。
【図６】本考案のシリンダークッションタイプの床ずれ予防緩和具の斜視図である。
【図７】図５及び図６に示す床ずれ予防緩和具の使用状態を示す斜視図である。
【図８】図５及び図６に示す床ずれ予防緩和具の使用状態を示す斜視図である。
【図９】本考案のトライアングルクッションタイプの床ずれ予防緩和具の斜視図である。
【図１０】本考案のトライアングルクッションタイプの床ずれ予防緩和具の斜視図である。
【図１１】図９及び図１０に示す床ずれ予防緩和具の使用状態を示す斜視図である。
【図１２】図９及び図１０に示す床ずれ予防緩和具の使用状態を示す斜視図である。
【図１３】本考案のスクエアクッションタイプの床ずれ予防緩和具の斜視図である。
【図１４】本考案のスクエアクッションタイプの床ずれ予防緩和具の斜視図である。
【図１５】図１３及び図１４に示す床ずれ予防緩和具の使用状態を示す斜視図である。
【図１６】図１３及び図１４に示す床ずれ予防緩和具の使用状態を示す斜視図である。
【図１７】本考案のアームクッションタイプの床ずれ予防緩和具の斜視図である。
【図１８】本考案のアームクッションタイプの床ずれ予防緩和具の斜視図である。
【図１９】図１７及び図１８に示す床ずれ予防緩和具の使用状態を示す斜視図である。
【図２０】図１７及び図１８に示す床ずれ予防緩和具の使用状態を示す斜視図である。
【図２１】本考案の多目的ロールクッションタイプの床ずれ予防緩和具の斜視図である。
【図２２】本考案の多目的ロールクッションタイプの床ずれ予防緩和具の斜視図である。
【図２３】図２２に示す床ずれ予防緩和具の使用状態を示す斜視図である。
【図２４】図２１に示す床ずれ予防緩和具の使用状態を示す斜視図である。
【図２５】本考案のピロータイプの床ずれ予防緩和具の斜視図である。
【図２６】本考案のピロータイプの床ずれ予防緩和具の斜視図である。
【図２７】図２５及び図２６に示す床ずれ予防緩和具の使用状態を示す斜視図である。
【図２８】図２５及び図２６に示す床ずれ予防緩和具の使用状態を示す斜視図である。
【図２９】本考案のエアマット専用敷パットの斜視図である。
【図３０】本考案のエアマット専用敷パットの斜視図である。
【図１】
0003114048.tif 000003
【図２】
0003114048.tif 000004
【図３】
0003114048.tif 000005
【図４】
0003114048.tif 000006
【図５】
0003114048.tif 000007
【図６】
0003114048.tif 000008
【図７】
0003114048.tif 000009
【図８】
0003114048.tif 000010
【図９】
0003114048.tif 000011
【図１０】
0003114048.tif 000012
【図１１】
0003114048.tif 000013
【図１２】
0003114048.tif 000014
【図１３】
0003114048.tif 000015
【図１４】
0003114048.tif 000016
【図１５】
0003114048.tif 000017
【図１６】
0003114048.tif 000018
【図１７】
0003114048.tif 000019
【図１８】
0003114048.tif 000020
【図１９】
0003114048.tif 000021
【図２０】
0003114048.tif 000022
【図２１】
0003114048.tif 000023
【図２２】
0003114048.tif 000024
【図２３】
0003114048.tif 000025
【図２４】
0003114048.tif 000026
【図２５】
0003114048.tif 000027
【図２６】
0003114048.tif 000028
【図２７】
0003114048.tif 000029
【図２８】
0003114048.tif 000030
【図２９】
0003114048.tif 000031
【図３０】
0003114048.tif 000032